(57)【特許請求の範囲】
【請求項１】
複数のリングまたは曲線を画定するように第１のパターンを含む複数のパターンで、支持体上に載る第１の複数の少なくともｎ＞１０００個の磁気的に整列可能なフレークを有する画像を備えるデバイスであって、各前記リングまたは曲線において前記フレークが、前記支持体に対して同一の第１の角度で傾斜され、前記画像が三次元対象物として見えるように前記リングまたは曲線を画定する前記フレークが、最も外側のリングまたは曲線から最も内側のリングまたは曲線へ、前記支持体に対して増大するまたは低減する角度を形成し、前記フレークの表面から延在する面が互いに交差し、前記デバイスが傾斜されると明るいまたは暗いスポットが前記画像内で移動する、デバイス。
【請求項２】
前記複数の磁気的に整列可能なフレークは、全体が閉鎖された領域に実質的に全てに分散され、かつその中の所定のパターンで方向付けられ、前記フレークの少なくとも５０％より多くが、それらの反射表面に垂直な線が、線に沿ってまたは点に収束するように方向付けられる請求項１に記載のデバイス。
【請求項３】
ｎ＞１００００である請求項１に記載のデバイス。
【請求項４】
前記画像が、フレネル構造を形成する請求項１に記載のデバイス。
【請求項５】
前記画像が、受信または反射アンテナの一部を形成し、前記フレークが、それぞれ吸収または反射する請求項１に記載のデバイス。
【請求項６】
前記フレークは、１００μｍ２から１ｍｍ２の表面積を有し、前記フレークは、１００ｎｍから１００μｍの厚みの範囲内である請求項１に記載のデバイス。
【請求項７】
前記磁気的に整列可能なフレークは、円形領域全体に完全に存在する磁界で整列される請求項１に記載のデバイス。
【請求項８】
前記フレークは、円形領域全体を覆う請求項１に記載のデバイス。
【請求項９】
少なくとも一部のフレークは、その中にまたはその上に格子を有し、前記格子の周波数および深さが、人間の裸眼で見ることができる回折効果を有さないように十分に低く、格子を有する前記フレークは、それぞれ前記格子の線に沿って整列される請求項１に記載のデバイス。
【請求項１０】
少なくとも一部のフレークは、その中にまたはその上に格子を有し、前記格子の周波数は、２００ｌｎ／ｍｍより小さく、前記格子の深さは、１００ミクロンより小さい請求項１に記載のデバイス。
【請求項１１】
前記画像は、円錐状、球状、半球状、および、じょうご状の１つの画像である請求項１に記載のデバイス。
【請求項１２】
前記画像は、フレネル構造の形態で反射要素の印刷されたアレイを形成する請求項１に記載のデバイス。
【請求項１３】
前記フレークは、形状において均一である請求項１に記載のデバイス。
【請求項１４】
前記複数のフレークは、形状において六角形である請求項１に記載のデバイス。
【請求項１５】
前記複数のフレークは、その中またはその上に回折構造を有する請求項１に記載のデバイス。
【発明の詳細な説明】
【技術分野】
【０００１】
本発明は、全般的に光学可変顔料、フィルム、デバイス、および画像に関し、より詳細には、錯覚光学効果を得るために、ペインティングまたは印刷プロセスの間など磁気フレークを整列しまたは方向付けることに関する。
【背景技術】
【０００２】
光学可変デバイスは、装飾および実用の両方で広範な適用で使用され、例えばそのようなデバイスは、市販製品の安全性デバイスとして使用される。光学可変デバイスは、様々な効果を達成するために多数の方法で作られることができる。光学可変デバイスの例は、クレジットカードおよび真正のソフトウエア・ドキュメンテーション上に刷られたホログラム、貨幣に印刷された色変化画像、およびオートバイ・ヘルメットおよびホイール・カバーなどのアイテムの表面外観の強化を含む。
【０００３】
光学可変デバイスは、対象物にプレスされ、スタンプされ、粘着され、または他の方法で取り付けられるフィルムまたはホイルとして作られることができ、かつ光学可変顔料を使用して作られることもできる。光学可変顔料の１つのタイプは、一般に色変化顔料と呼ばれる。なぜなら、そのような顔料で適切に印刷された画像の外観色は、見るおよび／または照明の角度が傾斜するときに変化するからである。一般的な例は、対偽造デバイスとして作用する米国２０ドル紙幣の下方右側角に色変化顔料で印刷された「２０」である。
【０００４】
いくつかの対偽造デバイスは隠れているが、一方、他の対偽造デバイスは、認められることが意図される。残念なことに、認められることが意図されるいくつかの光学可変デバイスは、デバイスの光学可変の態様が十分には劇的でないので、広く知られていない。例えば、色変化顔料で印刷された画像の色変化は、均一な天井蛍光灯下で認められないことがあるが、直接太陽光または単一のポイント照明下でより認められる。これは、偽造者が、光学可変の特徴なしに偽造紙幣を渡すことをより容易にすることができる。なぜなら、受取者が、光学可変の特徴に気が付かないことがあるからであり、または偽造紙幣が、所定の状況の下で真正の紙幣に実質的に類似して見えることがあるからである。
【０００５】
光学可変デバイスは、表面に顔料（一般に、インク展色剤またはペイント展色剤などの担体で）を加えた後で、磁界で整列される磁気顔料で作られることもできる。しかしながら、磁気顔料でのペインティングは、装飾目的のために主として使用される。例えば、磁気顔料の使用は、三次元形状として見える装飾特徴を有するペイントされたカバーホイールを製造するために記載された。パターンは、ペイント媒体がまだ液体状態である間に、製品に磁界を印加することによってペイントされた製品上に形成される。ペイント媒体は、磁力線に沿って整列された磁気非球状粒子を分散する。磁界は２つの領域を有する。第１の領域は、表面に平行に方向付けられかつ所望のパターンの形状に配置される磁力の線を含む。第２の領域は、ペイントされた製品の表面に対して非平行でありかつパターンの周りに配置される線を含む。パターンを形成するために、所望のパターンの形状に対応する形状を有する永久磁石または電磁石は、ペイントがまだ濡れている間に、ペイント内に分散された非球状磁性粒子を磁界に向けるために、ペイントされた製品の下に配置される。ペイントが乾燥されたときに、ペイント層上への光線入射が、方向付けられた磁性粒子によって異なって影響されるときに、ペイントされた製品の表面で見える。
【０００６】
同様に、フルオロポリマー・マトリクス内にフレークされた磁性粒子のパターンを作るためのプロセスが記載された。液状形態の組成を有する製品を被覆した後、所望の形状を有する磁界を有する磁石が、支持体の下側に配置される。液体有機媒体内に分散された磁気フレークは、それ自体が磁力線に平行に方向付けられ、元の平坦な向きから傾斜する。この傾斜は、支持体の表面に対して垂直方向から、製品の表面に本質的に平行なフレークを含む元の向きへ変化する。平坦に方向付けられたフレークは、観察者へ入射光を戻るように反射し、一方、再方向付けられたフレークは反射せず、被覆内の三次元パターンの外観を与える。
【特許文献１】米国特許第６６９２８３０号明細書
【発明の開示】
【発明が解決しようとする課題】
【０００７】
本発明の目的は、光学可変画像を提供することであり、半球状、円錐などの三次元対象物は、現在まで記載されていない、特定の磁界の存在の下で磁気的に整列可能なフレークを使用して、安全デバイス、ラベルなどの画像を形成する。
【課題を解決するための手段】
【０００８】
本発明は、錯覚光学効果を有する画像に関する物品、方法、および装置を提供する。
【０００９】
本発明によれば、リングまたは曲線を画定するように、第１のパターンで支持体上に載る第１の複数の磁気的に整列可能なフレークを有する画像を備える安全デバイスが提供される。好ましくは、少なくともｎ個（ｎ＞１０００）のフレークが提供され、フレークの表面から延在する面は互いに交差する。
【００１０】
本発明の一態様によれば、第１の複数の磁気的に整列可能なフレークは、複数のフレークの同心リングを画定し、フレークのリングは、円形状領域の場所を占め、リングを画定するフレークは、最も外側のリングから最も内側のリングへ支持体に対して増大するまたは低減する角度を形成する。
【００１１】
本発明の一態様において、デバイスは、第１のパターンに対応するパターンで支持体上に載る第２の複数の磁気的に整列可能なフレークを含むことができ、フレークは、支持体に対して同一の第２の角度で傾斜され、第２の角度は、第１の角度とは異なり、第２の複数のフレークの表面に沿って延在する面は、互いに交差する。
【００１２】
複数の磁気的に整列可能なフレークは、全体が閉鎖された領域に実質的に全てに分散され、かつその中の所定のパターンで方向付けられることができ、フレークの少なくとも５０％より多くが、それらの反射表面に垂直な線が、線に沿ってまたは点に収束するように方向付けられる。
【００１３】
好ましい実施形態において、画像は、少なくとも１００００個のフレークまたはそれ以上を備える。
【００１４】
本発明の一態様によれば、光学的に錯覚画像は、その表面を被覆するフレークの領域を有する支持体を備えて提供され、フレークは、全体領域の実質的に全てに分散されかつその中で所定のパターンで方向付けられ、フレークは、それらの反射表面に垂直な線が、線に沿ってまたは点に収束するように方向付けられる。
【００１５】
本発明の他の態様によれば、ラベルまたは安全デバイスは、全体領域の実質的に全てに分散され覆いかつ所定のパターンで方向付けられるフレークを有する光学的に錯覚画像を備えて提供され、フレークは反射表面を有し、所定のパターンを形成するフレークの向きは、フレークの反射表面に対する垂直な線が、線に沿ってまたは点で収束するようなものであり、所定のパターンは、回転軸を有する。
【００１６】
本発明のさらなる態様によれば、印刷されたアレイは、フレネル構造、好ましくはフレネル反射器の形態で、支持体上に配置された磁気的に整列されたプレートレットの複数の同心リングを備えて提供される。有利には、磁界は、強度および方向に関して制御されることができるので、そうでなければ一般的なフレネル反射器に存在する球面収差を訂正するフィールドを容易に設計することができる。
【００１７】
本発明の一態様によれば、画像は、受信または反射アンテナの一部を形成し、フレークは、それぞれ選択的に吸収または反射する。
【００１８】
本発明の他の態様によれば、これまで記載された任意の実施形態で記載されたような光学画像は、その上に格子を有し、および／またはフレークは、１００μｍ２から１ｍｍ２の表面積を有し、フレークは、１００ｎｍから１００μｍの厚みの範囲内である。
【００１９】
本発明のさらに他の態様によれば、少なくとも一部のフレークは、その中にまたはその上に格子を有し、格子の周波数（ｆｒｅｑｕｅｎｃｙ）および深さが、人間の裸眼で見ることができる回折効果を有さないように十分に低く、格子を有するフレークは、それぞれ格子の線に沿って整列される。ある実施形態において、少なくとも一部のフレークは、その中にまたはその上に格子を有し、格子の周波数は２００ｌｎ／ｍｍより小さく、格子の深さは１００ミクロンより小さい。
【００２０】
フレークは、形状が均一であることができ、好ましくはより大きなパッキング密度を可能にする六角形形状である。
【００２１】
本発明の代わりの実施形態において、光検出器を形成する画像が提供され、画像は、それが画像を照明する多数の別個の光源に対応する多数のリングを表示するように動的である。
【００２２】
本発明の例示的な実施形態は、以下に本発明にしたがって記載される。
【発明を実施するための最良の形態】
【００２３】
その様々な実施形態において本発明は、安全性およびパッキングならびにラベリング適用に有用な新規でありかつ独創的な磁気構造を提供する。通常、液体ペイントまたはインク展色材に分散された光学可変顔料の粒子は、一般に、表面に印刷またはペイントされたとき、表面に対してそれら自体が平行に向く。表面に平行な向きは、被覆された表面から入射光の高い反射率を提供する。磁気フレークは、液体媒体に磁界を印加することによって、支持体（ｓｕｂｓｔｒａｔｅ）に対して傾斜されることができる。フレークは、一般に、反射フレークの最も長い対角線および回折フレークの溝の向きが、磁力線に従うように整列する。磁石の位置および強度に応じて、磁力線は、異なる角度で支持体を貫通することができ、これらの角度に磁気フレークを傾斜させる。傾斜されたフレークは、印刷された支持体の表面に平行なフレークとは異なって入射光を反射する。反射率および色相は、両方とも異なることができる。傾斜されたフレークは、一般により暗く見え、垂直な視角で表面に平行なフレークとは異なる色を有する。
【００２４】
印刷された錯覚画像の例
図１Ａは、本発明の実施形態による議論の目的の「スイッチング」光学効果、または「フリップフロップ」と呼ばれる印刷された画像２０の単純化された断面である。フリップフロップは、移行部２５によって分離された、第１の印刷された部分２２および第２の印刷された部分２４を含む。インク展色材またはペイント展色材などの担体２８によって囲まれた顔料フレーク２６は、第１の部分内の第１の平面に平行に整列され、第２の部分内の顔料フレーク２６’は、第２の平面に平行に整列される。フレークは、断面図において短い線で示される。フレークは、磁気フレーク、すなわち磁界を使用して整列されることができる顔料フレークである。それらは、残留磁化を保持しまたは保持しないことがある。各部分における全てのフレークが、互いにまたは整列のそれぞれの面に正確に平行ではないが、全体の作用が、本質的に示されるようなものである。図面は、同一のスケールではない。典型的なフレークは、幅が２０ミクロンでありかつ厚みが１ミクロンであり得るので、図面は単に例示である。画像は、紙、プラスチック・フィルム、ラミネート、カード・ストック、または他の表面などの支持体２９上に印刷されまたはペイントされる。議論に好都合のために、用語「印刷された」は、担体中の顔料を表面に塗布することを一般的に記載するために使用され、それは他の技術を含むことができ、「ペインティング」として呼ばれることがある他の技術を含む。
【００２５】
一般に、フレークの面に対して垂直に見たフレークは明るく見え、一方、面の縁部に沿って見たフレークは暗く見える。例えば、照明源３０からの光は、観察者３２への第１の領域内のフレークから反射される。画像が、矢印３４によって示される方向に傾斜するなら、第１の領域２２におけるフレークは、端部で見られ、一方、光は、第２の領域２４内のフレークから反射される。したがって、第１の観察位置で、第１の領域は明るく見え、かつ第２の領域は暗く見え、一方、第２の観察位置で、フィールドはフリップフロップであり、第１の領域は暗くなり、かつ第２の領域は明るくなる。これは、非常に目立つ可視効果を提供する。同様に、顔料フレークが、色変化する場合、一方の部分は第１の色であるように見え、かつ他方の部分は別の色であるように見えることができる。
【００２６】
担体は、一般的に無色または薄い色のいずれかで透明であり、フレークは、一般的にかなり反射性がある。例えば、担体は、薄い緑であることができ、フレークは、アルミニウム、金、ニッケル、白金、または合金の薄層などのメタリック層を含むことができ、またはニッケルまたは合金フレークなどの金属フレークであることができる。薄い緑の担体を通って金属層から反射された光は、明るい緑に見え、一方、端部で見えるフレークを有する他の部分は、暗い緑または他の色に見えることができる。フレークが、無色の担体における単にメタリック・フレークであるなら、画像の一部分は、明るいメタリックに見え、一方、他の部分は暗く見えることができる。代わりにメタリック・フレークは、薄い色の層で被覆されることができ、またはフレークは、吸収体・スペーサ・反射体のファブリ・ペロー構造などの光学干渉構造を含むことができる。さらに、回折構造は、強化および追加の安全機構を提供するために反射表面上に形成されることができる。回折構造は、反射表面内に形成された簡単な線形格子を有することができ、または拡大されたときに認められることだけができるが、観察したときに全体の効果を有する、より複雑な所定のパターンを有することができる。回折反射層を提供することによって、色変化または輝度変化は、シート、貨幣、または回折フレークを有する構造を単に向きを変えることによって、観察者によって見られる。
【００２７】
回折フレークを製造するプロセスは、米国特許第６６９２８３０号に詳細に記載される。米国特許出願第２００３０１９０４７３号は、色彩の回折フレークを製造することを記載する。磁気回折フレークを製造することは、回折フレークを製造することに類似するが、１つの層は、磁性であることを必要とする。実際、磁気層は、Ａｌ層間に挟まれることによって隠されることができる。このように、磁気層は、さらにまたフレークの光学設計に実質的に影響を与えないか、または薄膜の干渉光学設計における吸収体、誘電体、または反射体として光学的に活性な役割を同時に果たすことができる。
【００２８】
図１Ｂは、第１の選択された視角での支持体２９上に印刷された画像２０の単純化された平面図であり、支持体２９は、貨幣または株券などの文書であることができる。印刷された画像は、安全性および／または認証の特徴として機能することができる。なぜなら、錯覚画像は、複写されず、従来の印刷技術を使用して製造されることができないからである。第１の部分２２は、明るく見え、第２の部分２４は、暗く見える。切断線４０は、図１Ａで示される断面を示す。第１の部分と第２の部分との間の移行部２５は、比較的鋭い。文書は、例えば貨幣、株券、または他の高価値の印刷された材料であることができる。
【００２９】
図１Ｃは、視点に対して画像を傾斜することによって得られる、第２の選択された視角での支持体２９上に印刷された画像２０の単純化された平面図である。第１の部分２２は、今や暗く見え、一方、第２の部分２４は、明るく見える。画像がフリップフロップする傾斜角度は、画像の異なる部分におけるフレークの整列面間の角度に応じる。一実施例において、約１５度にわたって傾斜されたとき、画像は、明から暗へフリップする。
【００３０】
図２Ａは、本発明の他の実施形態による、マイクロ・アレイにされた円筒状フレネル反射器として、または議論の目的のために「ローリング・バー」と呼ばれるとして規定される、運動学的光学デバイスの印刷された画像４２の単純化された断面である。画像は、支持体２９上に印刷された透明担体２８によって囲まれた顔料フレーク２６を含む。顔料フレークは、湾曲する方式で整列される。フリップフロップを有するとき、観察者に顔料フレークの面から光を反射するローリング・バーの領域は、観察者に光を直接反射しないエリアより明るく見える。この画像は、画像が視角に対して傾斜されるとき（固定照明源を仮定する）、画像を横切って移動する（「ロール」）ように見える光バンドまたはバーに非常に類似して見えるフレネル焦点線を提供する。
【００３１】
図２Ｂは、第１の選択された視角での、ローリング・バー画像４２の単純化された平面図である。明るいバー４４が、２つの対比フィールド４６、４８間の画像における第１の位置に見える。図２Ｃは、第２の選択された視角での、ローリング・バー画像の単純化された平面図である。明るいバー４４’は、画像における第２の位置に「移動した」ように見え、対比フィールド４６’、４８’のサイズは変化する。顔料フレークの整列は、画像が傾斜されるように（固定された視野および固定照明で）、画像を「ローリング」ダウンするバーの錯覚を作る。他の方向への画像の傾斜は、バーが、反対方向にロールする（アップ）ように見えさせる。
【００３２】
バーは、それが面に印刷されていても、奥行きを有するように見える。可視的な奥行きは、印刷された画像の物理的な厚みより非常に大きいように見えることができる。バーが、反射器の面の下で焦点長さに配置された円筒状の凸状フレネル反射器の仮想焦点線であるので、これは起こる。選択されたパターンにおけるフレークの傾斜は、それが一般に参照されるように、奥行きまたは「３Ｄ」の錯覚を提供するように光を反射する。三次元効果は、流体担体の状態で支持体上に印刷された磁気顔料フレークで、紙または他の支持体の背後に形状形成された磁石を配置することによって得られることができる。フレークは、磁力線に沿って整列し、担体を硬化した（例えば、乾燥または硬化）後に３Ｄ画像を作る。画像は、それが傾斜されるときに、しばしば移動するように見え、したがって、運動学３Ｄ画像が形成されることができる。
【００３３】
フリップフロップおよびローリング・バーは、磁気顔料フレーク、すなわち磁界を使用して整列されることができる顔料フレークで印刷されることができる。印刷されたフリップフロップ・タイプの画像は、単一の印刷ステップで単一のインク調合を使用して得られることができる、２つの個別フィールドを有する光学可変デバイスを提供する。ローリング・バー・タイプの画像は、虎眼石として知られる準宝石に類似する、画像が傾斜されたとき移動するように見える対比バンドを有する光学可変デバイスを提供する。これらの印刷された画像は、全く認識可能であり、錯覚態様は複写されない。そのような画像は、貨幣、株券、ソフトウエア・ドキュメンテーション、安全シール、および認証および／または対偽造デバイスと類似する対象物に加えられることができる。それらは、貨幣、パッケージング、およびラベルなどの大量に印刷される文書に特に望ましい。なぜなら、それらは、以下に記載されるように高速印刷動作で印刷されることができるからである。
【００３４】
図２Ｃおよび図２Ｄに示される他の実施形態において、「ダブル・ローリング・バー」が画像であり、一方の部分４４’は、円筒状の凸状方式で方向付けられた磁気フレークを有し、一方、画像の他方の部分４４”は、円筒状の凹状向きに方向付けられた磁気フレークを有する。この凸状向きを達成するために、「ローリング・バー」磁石が、紙支持体の下に配置される。凹状向きのために、磁石は、紙支持体の上に配置される。画像の２つの領域における磁気フレークが、異なりかつ反対の向き、例えば＋３０度と−３０度を有するときに、「ダブル傾斜」画像が形成される。印刷された画像の１つの傾斜された位置で、画像の一部分は暗く、他の部分は明るい。印刷された画像が、反対方向に傾斜されたとき、領域は、それらの明るい領域および暗い領域を切り替え、第１の画像は明るくなり、第２の画像は暗くなる。意図された設計に応じて、明るさおよび暗さのこの切り替えは、フレークの向きに応じて、頂部から底部へおよび逆に生じることができ、ならびに左から右へおよび逆に生じることができる。図２Ｃおよび図２Ｄにおいて、明るいバー４４’は、画像における第２の位置へ「移動した」ように見え、対比フィールド４６’、４８’のサイズは変更される。さらに、明るいバー４４”は、画像における異なる位置へ「移動した」ように見え、対比フィールド４６”、４８”のサイズは変更される。
【００３５】
本発明は、動的光学デバイス（ＤＡＣＯＤ）の線形または離散印刷に関して、所定の形状を有する三次元磁界を印加する。動的光学デバイスは、画像であり、いくつかの画像は、高速印刷プレスで印刷されることができ、それは、所定形状を有する磁界内で磁気プレートレット状の顔料を含むインクを使用する。画像は、観察者によって支持体に加えられる物理作用に応答して、それらの外観を変化することができる。観察者は、出現または消滅、あるいは画像の一部または全体画像の移動を見るために、支持体を傾斜、回転、または曲げることを必要とする。動的外観変化光学デバイス（ＤＡＣＯＤ）のこの挙動は、乾燥インクの層内に異なって方向付けられる磁気プレートレットからの入射光の反射または分散に純粋に応じる。色の存在または不在は、ＤＡＣＯＤの相補的な特徴である。磁気色変化顔料が、それらの外観変化に加えて、動的光学デバイスの色変化における複数の変形を提供する。
【００３６】
本発明は、磁界内で支持体上に印刷された濡れた画像を転写する間、インクの層内の顔料のプレートレットが、磁力線に沿って整列し、画像をインクの乾燥後に異なる角度での観察においてその外観を変更させるように、異なる構成の磁界内で紙または他の平らな支持体材料上に、シルクスクリーン、オフセット、フレキソ、凹刻印刷、グラビア、または他の知られている印刷方法を用いて印刷された画像の一部に、動的光学デバイスの特定の種類を記載する。外観変化要素を有する印刷された画像は、見られるべき任意の特定の機器を必要とせず、したがってそれは、裸眼で見ることができる。光源に対して異なる角度で印刷された動的光学デバイスの傾斜は、磁気インクで印刷された画像の一部において外観または移動の注意を引く変化をさせる。動的光学デバイスのためのインクは、インク展色剤、および任意の光を反射するまたは光を発散するプレートレットに基づく磁気顔料からなる。顔料は、色変化顔料、非色変化顔料であることができ、および／または磁気的に整列されたフレークの方向付けを容易にする回折格子などの微細構造を有することができる。インク展色剤は、透明または着色されたＵＶ硬化可能なまたは溶剤ベースであることができる。
【００３７】
印刷された外観変化光学デバイスは、貨幣または価値のある文書上、または貨幣または価値のある文書内の安全確保の特徴として使用されることができる。
【００３８】
画像内の明らかな移動または変化の効果は、印刷業で良く知られている。通常、それは、移動効果のための特定のピクチャまたは一組のパターン、あるいはフリップ効果で画像変化のためのレンチキュラー支持体に基づく。それらの適用性を非常に制限する多数の知られている効果は、制限される。
【００３９】
磁界内で印刷された外観変化画像は、出願人のより以前に公開された米国特許出願第２００４／００５１２９７Ａ１号により前に記載された。光源または視角が変化したとき、画像の異なる部分内の反射された光の色または強度を変化するローリング・バー効果およびフリップフロップ効果を有する印刷された画像が、その特許出願に記載される。これらの効果における画像外観の変化は、ホログラムまたはレンチキュラー支持体のようには即座には生じないが、むしろ徐々に生じる。
【００４０】
それにもかかわらず、前述の米国特許出願第２００４／００５１２９７Ａ１号に記載される画像は、簡単なローリング・バーおよびフリップフロップ・タイプの適用に関し、単一の直線に沿うフレークは対称的であり、支持体と同一の角度を作り、その後に隣接する直線に沿うフレークは、支持体と異なる同一の角度を作り、任意の所定のフレークの列における各フレークは、支持体と同一の角度を有し、隣接する列におけるフレークは、一般に支持体と異なる角度を作る。
【００４１】
フレークが曲線に沿って整列することが最近見出され、任意の所定の曲線に沿うフレークは、支持体と同一の角度を形成し、隣接する曲線、より詳細には円、特に同心円に従うフレークは、隣接する曲線または円とは異なる角度を形成するように方向付けられ、じょうご（ｆｕｎｎｅｌ）、円錐、ボウル、および楕円など対象物の実行可能な光学錯覚画像を引き起こし、かつ半球が形成されることができる。特定の実施形態において、円は、円形より楕円であることができ、以降の円の定義は、円形状のリングおよび形状を含むことに留意されたい。
【００４２】
以降の記載は、反射円錐、球、半球、じょうご、および他の三次元対象物、特にフレネル状構造による、入射光の反射に類似する印刷された光学効果の著しく異なる種類を言及する。
【００４３】
実施例を示すと、図４は、「スター・バースト」パターンの形態の動的効果を有する画像であり、円錐の画像が図５Ａで示され、じょうごの画像が図２０Ａで示される。「スター・バースト」画像を有する印刷は、じょうご形状の磁界を使用して作られた。印刷された乾燥インクの層におけるプレートレットの方向の断面は、図３に示される。分散された磁性粒子１９３を有するインク１９２は、前述された印刷技術の１つによって支持体１９１の頂部上に印刷された。磁力線１９４は、画像の中心で支持体に対して垂直に向けられる。磁力線は、中心から径方向距離における増大とともに低下する。したがって、磁界は、中心において最も強く、中心から径方向外側に離れる距離とともに弱くなる。
【００４４】
図４に示されるフャンネル形状磁界で印刷された印刷済み光学デバイスの中心は、垂直角度の観察で暗い。印刷された画像の輝度は、中心から縁部へ向かって徐々に増大する。印刷された画像が、観察者から離れるその上方縁部で水平方向に傾斜されると、暗いエリアは、底部へ向かって移動するように見える。右に画像を垂直方向に傾斜することは、傾斜に対して反対方向に画像の影の部分を移動するように見える。
【００４５】
図６に示される円錐形状の磁力線は、じょうご形状の磁界の磁力線に反対の順に磁気プレートレットを整列する。そのような方向付けの結果として、画像における移動は、じょうご形状の画像に作られる画像の方向に反対方向である。インク２１２内に分散されかつ支持体２１１上に印刷されるフレーク２１４は、磁力線２１３に従い、それらの頂部を磁界の中心の方向に傾斜される。
【００４６】
円錐形状の磁界で作られる印刷は、図７に示される観察の垂直角度で明るい中心を有する画像を作る。印刷が、その上方縁部が観察者から離れて傾斜されるとき、明るい領域は、図５Ａにおける画像とは対照的に、図７Ａに示されるように底部へ移る。右への垂直方向の傾斜は、明るいエリアが左へ移らせる図７Ｂに示される。
【００４７】
円環状の磁界または形状で印刷された画像は、図９に示される外観を有する画像を生成するものに近似する。円環状の磁界に整列された粒子位置の断面は、図８に示される。分散された磁性粒子２３２を有するインク２３２は、支持体２３１上に印刷される。
【００４８】
磁気的に整列可能なフレークまたは粒子を整列するための上述された方法は、エリア全体が磁気特徴で印刷されるか、または画像のちょうど所定の部分が磁気特徴で満たされるかいずれかである画像に適用されることができる。これは、所望の画像に応じる。
【００４９】
上述された磁気特徴の多くは、紙幣または他の価値のある文書の安全確保の特徴の強化のための組みひも飾り（ｇｕｉｌｌｏｃｈｅ）パターンで印刷された画像に適用されることができる。
【００５０】
以下に図８および図９を参照して、新規の創造的な非常に驚くべき効果が、異なる直径の２つのリング状磁石が、互いの上部に積み重ねられた円環状の放物線状の反射器を形成するために、積み重ねられた磁石８０１および８０２を使用して作られる。線８０３によって部分的に示された結果として生じた磁界は、単一の磁石を使用することとは非常に異なる。上部の磁石の角に近い磁力線は、下側の磁石の影響の下で下方に曲げられる。結果として、上部の磁石の角に近い磁性粒子８０４は、磁界強度が、印加された磁界の磁力線に沿って正確な凹状の粒子整列を提供するのに十分に大きい磁界のエリア内にあるように見える。フレーク８０５は、外側縁部および中心の中間に向けられた凹状であるように示される。フレークは、支持体８０７上のインク８０６に分散される。磁石が、この図に示されるようにリング状であるなら、結果としての印刷された画像は、単一の光源の下で明るいリングのように見える。太陽光の下で、それは、広い青色リングである。いくつかの光源の照明の下で、印刷は、図９に示される写真に示されるように、多数包囲光源に量的に等しい一組のリングのように見える。この実施形態は、光検出器として機能し、画像は、画像から反射された物理的に分離した光源の数に対応する多数のリングを観察者に示す。すなわち、例えば３個の光源が画像を照明するなら、３つの分離したリングを見ることができ、ｎ個の光源が画像を照明するなら、ｎ個のリングを見ることができ、ここでｎは正の整数である。磁石の厚み、寸法、および強度は、特定の所望の画像に応じて異なることができることに留意されたい。例えば、積層された磁石は、異なる径を有する同一の厚みおよび強度であることができ、または代わりに１つ以上のパラメータが変わることができる。
【００５１】
前述された磁気特徴の多くは、幾何学的画像およびそれらの錯覚特性の強化のための錯覚光学画像で印刷された画像に適用されることができる。そのような画像の例は、図１０Ａ、図１０Ｂ、図１１、図１２、および図１３Ａに示される。円環状の磁界の存在内で印刷された図１０Ａのスパイラル線形画像は、図１０Ｂに示される外観を有する。
【００５２】
じょうご状の磁界で印刷されたとき、図１０Ａにおける同一のスパイラル状画像は、図１０Ｂに示される画像とは非常に異なる外観（図１０Ｃ）を有する。図１１に示される錯覚画像は、印加された円環状の磁界内で印刷された後、図１２に示される異なる外観を有する。円環状の磁界は、画像におけるリップルの錯覚を生成する。
【００５３】
他の線形の錯覚画像は、図１３Ｂに示され、印刷は、図１３Ｂにおける光学的な錯覚特徴を強化する円錐状磁界で実行される。
【００５４】
図３から図１３Ｂに示される画像は、径方向対称性を共有する。各画像において、フレークがリングに整列され、所定のリングに沿うフレークは、支持体と同一の角度を形成し、支持体上にそれらの縁部が載り、隣接するリングは、支持体と異なる角度を形成するフレークを有する。さらに所定のリングのフレークは、隣接するフレークの面と交差する平らな表面を有する。これは、図１４に明らかに見られる。
【００５５】
図１４を見ると（同一の縮尺ではなく、大きなフレークは例示的な目的のために使用される）、コンピュータ図は、例えば図７Ａに示される円錐状の画像におけるフレーク構成を示す。全てのフレークが、共通の平らな支持体上に載って示されるが、Ｒ１、Ｒ２からＲｎのフレークの各リングは、平らな支持体と独特な同一の角度を作るそのリングに沿ったフレークを有する。図１４から見られることができるように、外側リングＲ１内のフレークは全て、支持体に対して同じ角度だけ傾き、リングＲ２内のフレークは、支持体とわずかに急な同一の角度を作る。したがって角度は、リングＲ１からＲ２へ、Ｒｎへ移動するにつれ増大する。任意の所定のリングすなわちＲ１に従うフレークのために、全ては特定の直径の円に位置し、規定によって平らな面を有するフレークのために、それらの面を規定する平面は、同一の円に位置するそれらの最も近い隣接するフレークと交差する。例えば、フレーク２８０ａおよび２８０ｂは、平坦で平らな面を有し、平面は交差する。全てのフレークが支持体と接触するが、円錐の画像は、その円錐が、それが付着される紙または支持体の外側に突出する錯覚を観察者に残す。
【００５６】
以下に図１５を参照して、図１４の同一の円錐の図示が示され、構造の中央を通る断面は、フレーク整列を示すために他の斜視図で示される。ここで、フレークの向きまたは支持体に対する傾斜は、支持体の下の磁石（図示せず）によって作られる磁力線にしたがって示される。明瞭性およびより良好な理解のために、フレークは、実質的に方形であるように示されるが、実際には、フレークの形状は、方形または六角形または他の特定の形状が使用されないなら、非常に変わる可能性がある。
【００５７】
以下に図１６を参照すると、インクの薄層内に分散された磁性粒子の軸対称の円錐状整列が示される。磁界１６０の断面が、磁力線１６２で示されるが、実際にはこれらの線は、フレークがそれに沿って方向付けられる線のシートを形成する。磁気的に方向付け可能なフレーク１６３は、インク媒体１６４内の同心リング内に配置されて示され、磁力線に従う各リングに配置されたフレークは、支持体１６５と異なる角度を形成し、角度は中心に向かって増大する。図におけるギャップ１６６は、図示の目的だけのためであり、支持体に対するフレークの角度は、より容易に見られることができる。
【００５８】
図１７に戻り、シート１７１上に支持されるインク展色剤１７２の薄層内に分散された磁性粒子１７３の円錐状整列が示される。粒子表面に対して垂直な線１７４は、フレーク表面に対して垂直な角度の関係を示すために（以降、「垂線」と呼ばれる）例示だけの目的で描かれ、表面に対して垂直な線は、垂線が収束する想像上の長円エリア１７５を画定する点で収束する。
【００５９】
以下に図１９を参照すると、支持体の上部上の円錐状磁石１９３を配置する結果として生じる円錐状磁界内の、磁性粒子１９６の円錐状整列を表す図を示す。インク１９２内の粒子またはフレーク１９６は、磁力線１９５で方向付けられる。参照符号１９４は、円錐磁石１９３からの磁界の断面を示す。再び、フレークは、同心円内に方向付けられ、各円またはリングに従うフレークは、支持体との同一角度を形成し、異なるリング内のフレークは、支持体と異なる角度を形成する。
【００６０】
代わりの実施形態が図２０に示され、円錐状磁界内の磁性粒子の円錐状整列は、支持体２０１下にじょうご状磁石２０２を配置することによって提供される。インク展色剤（図示せず）内の磁性粒子２０５は、紙支持体２０１上に印刷される。磁界の断面は、参照符号２０３によって示され、磁性粒子２０５は、磁力線２０４に従う。磁力線２０４は、支持体の全領域を通して伝播するので、それら内にフレークを担持する円形領域に加えられるインクは整列されるようになる。したがって、磁界で一旦整列されると、磁界内に配置されたフレーク２０５の円は、円錐状対象物を見せる可視効果を有する。これは、観察者１に向かって傾斜しかつ観察者２から離れる傾斜する円錐状印刷を示す、図２１Ａおよび図２１Ｂの写真によって撮られる。
【００６１】
図２０Ｂは、示される粒子に対する垂直表面２０８で、インク２０７の薄層を備える展色剤に分散された磁性プレートレット２０９のじょうご状の整列を示す。
【００６２】
図２０Ｃは、磁性プレートレット２３６のじょうご状整列が、紙支持体２３１の下に配置された球状またはボール状磁石２３３によって提供される代わりの実施形態を示す。磁力線２３５に従うプレートレット２３６は、インク展色剤２３０内に配置される。インクが硬化されたとき、フレークは、示される位置に固定されるようになる。
【００６３】
図２２は、軸対称の円錐状磁界内の回折磁性粒子２２０の整列を示す一部切断図である。粒子の溝の好ましい向きは、円錐の中心の方向である。磁界内に配置された回折プレートレットが、任意の他の磁性粒子としてふるまうとき、それらは、印加された磁界の線に沿って方向付けられるようになる。しかしながら、濡れたインク展色剤内に分散された平坦な磁気プレートレットは、磁力線の方向に最も長い対角線によって自体を整列し、回折プレートレット２２０は、磁力線の方向に沿った回折構造または格子を画定するそれらの溝と自体を整列する。回折粒子の軸対称整列は、虹色に色付けられた境界によって囲まれた銀状の領域を作り、または印刷内に異なって色付けられたリングを生成する。
【００６４】
図２３および図２４は、磁性回折粒子を含みかつ観察者に向かって傾斜された軸対称印刷の写真である。
【００６５】
上述のように、支持体の表面上の濡れたインク展色剤に分散された平坦な磁性プレートレットは、それらの最も長い対角線によって印加された磁界の磁力線に沿って自体を方向付ける。平坦なプレートレットとは対照的に、回折磁性プレートレットは、図２５に示されるようなそれらの溝の方向によって、磁力線に沿って同一の条件で自体を方向付ける。各粒子は、１つの特定の狭い方向にだけ入射光を反射かつ分散する。磁界内のそのような選択的な向き、ならびに回折プレートレットの表面からの光の狭い反射率および分散は、知られているホログラフィック運動学に類似する独特の印刷された画像の製造を可能にする。
【００６６】
これまで、光学デバイスの新規な種類を形成する、フレークの湾曲したまたは円形配置に関する実施形態が開示された。これらのデバイスは、それらが支持される支持体との平坦なまたは回折フレークの角度関係によって特徴付けられた。多くのこれらのデバイスは、フレネル反射器などのフレネル構造を形成する。例えば、これまで記載された円錐構造およびじょうご状構造は、凸状および凹状フレネル反射器を形成する。吸収材料から製造されたフレークを使用することによって、フレネル吸収構造が作られることができる。反射フレークを使用することによって、フレネル反射器が、支持体上に印刷されることができる。そのようなフレネル構造は、例えばアンテナのための印刷可能な集束反射器として、光学および他の領域で電磁放射の様々な波長のためのビーム・ステアリング・デバイスとしての適用を有する。
【００６７】
以下に図２６を参照すると、インク２６４の薄層内に分散された磁性粒子２６３の軸対称の半球状整列が、印刷された凸状フレネル・ミラーを形成する例示が示される。磁界の断面２６１および磁石２６６から発する磁界２６２の線は、支持体２６５を通して伝播して示される。必要な磁界は、矢印２６７の方向に磁石２６６を回転することによって達成されることができる。
【００６８】
磁気的に整列された反射フレーク２７３によって形成されるフレネル状反射構造は、図２７に明瞭に示され、インク展色剤２７２内の支持体２７１によって支持されるフレークの表面に垂直な、図において示される想像線２７４は、最も中心のフレークに垂直な中心線と交差して示される。参照符号２７５は、フレークまたはミラー２７３を通して投影する想像上の光線を示す。
【００６９】
半球状凸状ミラーの写真は、図２８Ａおよび図２８Ｂに示され、図２８Ａにおいて、写真は、観察者に向かってその上方縁部が傾斜され、図２８Ｂにおいて、写真は、観察者から離れてその上方縁部が傾斜される。印刷された凸状フレネル・ミラーにおける画像形成は、それらの球面収差を補償することなく、従来の凸状ミラーと本質的に同一である。
【００７０】
図２９を見ると、インクの層内に分散された回折磁性粒子２９２の軸対称の凸状整列の等角図が示される。平坦な粒子は、回折粒子を置き換えることができる。粒子２９２は、例えば紙支持体２９１である支持体に加えられる。領域２９３は、図示の目的のための粒子が無い。領域２９４は、粒子の溝の径方向を示す。参照符号２９５は、それらの垂線の周りの粒子の回転および支持体に対するそれらの傾斜を有するエリアを示し、２９６は、溝の円形向きおよび支持体に対する粒子面の最大傾斜を有するエリアを示す。
【００７１】
回折プレートレット２９２が、磁界に配置されたとき、プレートレット２９２は、印加された磁界の線に沿ったそれらの溝で方向付けられるようになる。印刷２９７の中心軸の周りの領域内の粒子は、支持体表面に対するそれらの面と平行である。この領域内の全てではないが多くの粒子は、印刷の中心軸に向かうそれらの溝で方向付けられる。
【００７２】
この径方向整列領域のサイズは、比較的小さく、印刷に印加される磁界の寸法に応じる。それは、磁石の幅のほぼ２／３であることができる（平坦な永久磁石が使用される場合には）。溝の方向および粒子２９２のレイアウトは、著しい変化を介して中心軸からの距離の変化を受ける。溝の径方向整列のエリアに隣接しかつそれを囲む印刷の第２のエリアは、それらの垂線、すなわち図３０に示されるような粒子の表面に垂直な線の周りで回転し、かつ支持体に対してそれらの面を傾斜する粒子を含む。第２のエリア内に粒子は、溝が、円形向きのエリアを形成する円に沿って整列されるようになるまで、それらの垂線の周りで回転する。中心からの距離における増大とともに、このエリア内の全ての粒子は、円形に方向付けられる。支持体に対するそれらの傾斜は、最も大きな角度である。
【００７３】
以下に図３０を参照すると、支持体３０１上に付着されたインクの層内に分散された粒子の単一の径方向線における回折粒子３０２の位置および整列が示されている。第１のエリア内の粒子表面３０３に垂直な線は、支持体にほぼ垂直である。回折３０６の次数間の方向は、粒子の線の方向に対して９０°である。粒子から中心軸３０２への距離が増大する第２のエリアにおいて、粒子は、印刷の外側に向かって方向付けられたそれらの垂線を有する支持体で同時に傾斜するそれらの垂線の周りでますます回転する。回折次数間の方向は、粒子の回転とともに同様に回転する。それらの垂線の周りの粒子の回転が９０°を達成するとき、溝は、円の沿って方向付けられるようになる。粒子は、それらの垂線が印刷の外側に向かって方向付けられて支持体上で傾斜される。回折次数は、また傾斜されかつ径方向に方向付けられる。印刷の中心に隣接する粒子の回折のｋ番目の次数の方向は、参照符号３０７で示され、円形整列のエリア内で回折粒子のｋ番目の方向は、参照符号３０８で示され、印刷の中心に隣接する粒子の回折のｍ番目の次数の方向は、参照符号３０９で示され、かつ印刷の中心に隣接する粒子の回折のｍ番目の次数の方向は、参照符号３１０で示される。
【００７４】
図３１は、黒背景上に希釈されたインクで作られた印刷された凸状フレネル・ミラーの写真である。中心の銀状のエリア３１１は、径方向向きで示された粒子の溝で示される。強く鮮やかな色を生じる溝の回転を有する虹状の領域３１２がそれに隣接し、外側領域３１３は、虹状の弱い色を示す。観察者が中心エリア３１１を見て、かつ観察方向が溝の方向と一致するとき、光の回折を見ることはできない。観察者が画像を見るとき、虹状のリングは、溝の径方向向きを有する銀エリアを囲む。この虹の色付けされたエリアにおける粒子は、支持体上に比較的平坦にあるそれらの垂線の周りで回転する。粒子の溝は、回転でそれらの方向を変更し、光の回折は、色の虹を生成し始める。外側領域３１３における支持体の表面に対する粒子の傾斜は、ミラー表面から反射された光の方向の変化を引き起こす。光線は、ページの底部に方向付けられるので、観察者は、このエリア内で反射された光線を見ることができない。わずかな回折次数だけを、不十分な虹色を生成して見ることができる。印刷は、２０ミクロンの平均サイズおよび１５００ライン／ｍｍの回折格子周波数を有する５％の平坦な磁気粒子を含む、インクのフラッド層を有する黒背景で支持体を被覆することによって製造された。印刷された層の厚みは、９ミクロンメートルに近い。濡れたインクを有する支持体が、スピニング（３”×１．２５”×＜０．３７５”＞）永久磁石の上部に配置される。粒子の整列が完了された後、インクはＵＶ光で硬化される。
【００７５】
以下に図３２を参照すると、印刷された補償されていない凹状フレネル・ミラー内で、支持体３２５上に印刷されたインク３２４の薄層内に分散された磁性粒子３２３の軸対称の半球状整列が示される。参照符号３２１は、矢印３２７の方向で回転される磁石３２６から発する磁力線３２２を有する磁界の断面を示す。
【００７６】
図３３は、粒子表面３３４に垂直な線を有するインク展色剤３３２の薄層に分散されたその中に溝の形態の格子を有する回折磁性粒子３３３の凹状整列を示す図である。球面収差３３５のエリアは、フレークが、焦点３３６で集束する場所のすぐ下で示される。
【００７７】
図３４Ａ、図３４Ｂ、および図３４Ｃは、半球状整列を有する印刷の写真である。より詳細には、図３４Ａは、観察者に向かう上方縁部で傾斜された写真であり、写真３４Ｂは、観察者から離れて上方縁部で傾斜され、図３４Ｃは、印刷されたミラーから反射された写真の影を示す。
【００７８】
印刷された凹状フレネル・ミラーへの画像形成は、それらの球面収差を補償することのない従来の凹状ミラーと本質的に同一である。ミラーは、印加される磁界の形状およびその強度、磁石と濡れたインクとの間の距離、インク粘度、および分散された粒子の磁気特性を適切に選択することによって、それらの収差を低減するように補償されることができる。
【００７９】
図３５は、図２９に対して多くの点で類似する、インク層に分散された回折磁性粒子の軸対称の凹状整列の平面図である。支持体３５１は、インク溶剤（図示せず）内の回折粒子３５２で被覆される。印刷のエリア３５３は、図示だけの目的の粒子が無い。領域３５４は、粒子の溝の径方向を示す。３５５は、それらの垂線（すなわち粒子面に対する垂直線）の周りの粒子の回転および支持体に対するそれらの傾斜を有する領域であり、３５６は、溝の円形向きおよび支持体への粒子面の最大傾斜を有する領域を示す。
【００８０】
粒子の溝の好ましい向きは、円錐の中心の方向である。磁界に晒されたとき、回折プレートレット３５２は、印加された磁界の線に沿ったそれらの溝で方向付けられるようになる。印刷の中心軸の周りの領域内の粒子は、支持体表面に平行である。この領域内の全てではないが多くの粒子は、印刷の中心軸に向かうそれらの溝で方向付けられた。この領域のサイズは小さいが、印刷に印加された磁界の寸法に応じる。溝の方向および粒子のレイアウトは、著しい変化を介して中心軸からの距離の変化を受ける。溝の径方向整列のエリアに隣接しかつそれを囲む印刷の第２のエリアは、図３６に示されるようなそれらの垂線の周りで回転し、かつ支持体に対してそれらの面を傾斜する粒子を含む。第２のエリア内の粒子は、溝が円に沿って整列されるようになるまで、それらの垂線の周りで回転する。中心からの距離の増大とともに、このエリア内の全ての粒子は、円形に方向付けられる。支持体に対するそれらの傾斜は、最も大きな角度である。
【００８１】
図３６は、インクの層内に分散された粒子の単一の径方向線の回折粒子３６２の位置および整列を示す。第１のエリア内の粒子表面に対する垂直な線３６４は、支持体３６１にほぼ垂直である。回折の次数間の方向は、粒子の線の方向に対して９０°である。粒子から中心軸３６３への距離が増大する第２のエリアにおいて、粒子は、印刷の外側に向かって方向付けられたそれらの垂線に、支持体で同時に傾斜するそれらの垂線の周りでますます回転する。回折次数３６５間の方向は、粒子の回転とともに同様に回転する。それらの垂線の周りの粒子の回転が９０°を達成するとき、溝は、円の沿って方向付けられるようになる。粒子は、それらの垂線が印刷の外側に向かって方向付けられて支持体上で傾斜される。回折次数は、また傾斜されかつ径方向に方向付けられる。印刷の中心に隣接する粒子の回折のｋ番目の次数の方向は、参照符号３６６で示され、円形整列のエリア内で回折粒子のｋ番目の方向、印刷の中心に隣接する粒子の回折のｍ番目の次数の方向は、参照符号３６８で示され、かつ印刷の中心に隣接する粒子の回折のｍ番目の次数の方向は、参照符号３６９で示される。
【００８２】
本発明による半球状画像の製造に関する本発明の実施形態は、以下に記載される。
【００８３】
図３７Ｆ、図３７Ｇ、図３７Ｈ、および図３７Ｊで本発明の代案の実施形態における興味深くかつ著しい効果が示される。図３７Ｆは、半球の印刷された画像であり、全体画像は、整列可能な顔料フレークで被覆される。説明されるようにフレークの整列後、半球が形成される。図３７Ｆに示される半球の印刷された画像は、支持体が傾斜されまたは光源が変更されたとき、図３７Ｇに示される画像として現れる。画像が、中心を通る垂直軸の周りで垂直から左へ傾斜されるとき、ボールに非常に似た明るい半球は、傾斜角度の変化とともに回転する。線に沿った面で回転可能なローリング・バーとは対照的に、図３７Ｆにおける半球は、傾斜の角度に応じて、任意のｘ−ｙ方向に移動することが可能でありまたは移動するように見える。したがって、ｘまたはｙ軸の周りで画像を傾斜することは、結果として移動の外観を生じる。
【００８４】
図３７Ｊにおけるシールドは、非常に興味深い効果の組み合わせを提供するために、ローリング・バー効果と半球効果との組み合わせを使用し、シールドおよび半球は、ページから外に突出するように見える。これは、２段階のプロセスで製造され、支持体は、第１に磁気被覆で被覆され、半球は、図３７Ｈに示されるように形成されかつ硬化される。第２の被覆は、追加の被覆材料が半球を覆わないことを確実にする、図３７Ｉの被覆を形成するためにマスクまたはステンシルを介して加えられる。この第２の被覆は、ローリング・バーを製造するように磁界内で配置される。上述された動的または運動学的に半球状画像を形成する方法は、ローリング・バーを形成する方法より複雑である。例として、図３７Ａから図３７Ｅを参照して、以下に方法が記載される。図３７Ａに示される磁石３７０ａは、２つのループを形成する、磁石の上および下の磁力線を示す。この図は、故意にこれら２つの線だけを示すが、本質的に、磁石の全体にわたるこれらの線に平行に生成される線の前部が存在する。異なる時間の期間で垂直軸の周りのその回転の間での図３７ａ、図３７ｂ、および図３７Ｃにおける磁石が示される。図３７Ｂにおける磁石の一部は、磁力線のいくつかを示すために切断される。図３７Ｃにおいて、３７０ａ、３７０ｂ、３７０ｃでの磁石上に延びる磁界は、磁界が下に延びるようにドーム形状であることが明らかである。半球状の運動学的画像の印刷は、図３７Ｄに示されるような磁石の直上のドーム形状の磁界内の流体インク、または磁石からより大きな分離を、被覆された支持体３７７に配置することによって３７Ｅのように形成され、かつ磁石が回転する間に磁界の中心に向かって支持される。この例示的な実施形態において、磁石または画像が相対的に回転される速度は、ほぼ１２０ｒｐｍである。この画像は、次に磁界の領域から取り出されかつ硬化される。磁石の回転速度は、磁性粒子特性およびインク展色剤の粘性に応じて、１２０ｒｐｍより遅いまたは速いことができる。しかしながら、速度があまりにも遅いなら、画像の品質は劣化する。
【００８５】
図３８Ａは、図３７Ｆに示される画像に類似するが反転された代わりの実施形態の例示である。半球状画像からシミュレートされた磁界は、図３８Ａに示される。これは、図３８Ｃに示される画像を作る磁界の形状である。磁石のＮ極は上部にあり、粒子は、じょうご状様式で同心に整列される。図３８Ｂに磁界１９４が示され、支持体１９１上に配置された担体１９２内のフレーク１９３は、磁力線に従うじょうご状向きで整列される。半球効果とは対照的に、この磁界は、画像１９１の中心における明るい運動学的スポット１９２を生成し、フレークのじょうご状整列は、画像の中心における暗い運動学的スポットを生成する。示されかつ記載される磁界は、永久磁石から形成されるが、電界または電磁界が、多くの実施形態で使用されることができる。もちろん、磁界および粒子は、粒子が特定の磁界によって方向付けられることができるように適合されなければならない。粒子は、回折されることができ、および／または色変化できる。
【００８６】
さらに、例えば、光学効果を有する画像の印刷のための磁性インクの製造に関して、矩形の低変調された低周波数格子を有するプレートレット状磁性マイクロ・フレークが利用されることができる。
【００８７】
これまで記載されたように、硬化されていないペイントまたはインク展色剤に分散された反射磁気顔料の平坦な粒子は、それらの最も長い対角線を有する印加された磁界の線に沿って自体を整列し、単一の粒子の消磁がそれらを横切るより溝に沿ってより小さいので、印加される磁界の磁力線の方向にそれらの溝に沿って自体を整列する。
【００８８】
この現象は、異なる方向における磁性粒子の断面厚みに関する。この厚みは、溝に沿う方向により小さくかつ溝を横切る方向でより大きい。回折顔料による入射光の鏡のような反射率は、それら表面形態学の特異性のために高くない。印刷されたとき、顔料は、単一または複数の光源の下と太陽光の下で異なる色を示す。しかしながら、薄暗い光の下または太陽光の下では、印刷上で非常に少ない色がある。
【００８９】
本発明の他の態様は、反射および回折顔料の２つの特定の特徴、すなわち認識可能な回折色の無い反射率と、印加された磁界の磁力線に沿った溝で整列される可能性とを組み合わせた顔料である。顔料は、低い周波数で低変調の方形回折格子を有する微細構造を有する。一般に、周波数は、２ライン／ｍｍから５００ライン／ｍｍの範囲内、より好ましくは５０ライン／ｍｍから１５０ライン／ｍｍの範囲内にあることができる。格子の変調は、２０ｎｍから１０００ｎｍの範囲（より好ましくは３０ｎｍから２００ｎｍの範囲）内で変化する。
【００９０】
単一の顔料粒子の平面図が図３９に示され、その断面が図４０に示される。本発明によるこの微細構造にされた顔料は、有機または無機保護被覆で覆われた微細構造にされた磁気材料から、または磁性材料で被覆された微細構造にされたポリマー支持体から製造されることができる。より好ましくは、微細構造にされた顔料は、反射材料の２つの層間に囲まれた微細構造にされた磁性材料から製造されることができる。構造の例示的な実施形態は、図４１に示される。
【００９１】
実施例１
ＭｇＦ２／Ａｌ／Ｎｉ／Ａｌ／ＭｇＦ２の多層構造は、図３９に示されるものと類似するポリエステル矩形格子の上部に真空蒸着される。格子の山および谷の幅は、７ミクロンである。山の高さは８０ｎｍである。材料は、エンボス加工された支持体から取り除かれ、２４ミクロンの平均サイズを有するマイクロ・フレークに変換される。
【００９２】
上記ＭｇＦ２／Ａｌ／Ｎｉ／Ａｌ／ＭｇＦ２の被覆が支持体から取り除かれる前に、結果は、１５００ライン／ｍｍの周波数を有する異なるポリエステル回折格子上に付着された同一の光学多層スタックの結果と比較される。低周波数および高周波数の支持体の両方上の被覆の色性能は、ｇｏｎｉｏスペクトルフォトメータ（Ｍａｒａｋａｍｉ  Ｃｏｌｏｒ  Ｒｅｓｅａｒｃｈ  Ｌａｂｓ）で特徴付けられた。実験結果は図４２に示される。
【００９３】
図４２ａおよび図４２ｂにおける結果は、低変調された低周波数矩形格子のサンプルは、測定方向が溝を横切るときに、かろうじて見える回折色を生成し、溝に沿って見られたときに全く回折色は生成しない（プロットに示されていない）。溝を横切る方向は、回折効果の生成のために最も好ましい。示される標準の１５００ライン／ｍｍサイン波回折格子（図４２ａおよび図４２ｂ、図２）は、この方向に見られるとき、非常に大きな色軌跡を有する。
【００９４】
これら両方のサンプルの垂直に近い角度の拡散スペクトル反射率は、スペクトルフォトメータＤａｔａｃｏｌｏｒＳＦ６００で測定された。％Ｒの実験結果が、図４３および図４４に示され、（１）溝に沿った％Ｒを示し、かつ（２）溝を横切って％Ｒを示す。
【００９５】
結果は、低周波数格子を有するホイル・サンプルが、銀状の外観を有することを示す。溝に沿っても溝を横切っても反射率の曲線に色ピークは存在しない。対照的に、高周波数ホイルのサンプルは、入射光の回折によって生成された反射率ピークの存在を示す。
【００９６】
まとめると、格子周波数は十分に低く、例えば２００ライン／ｍｍより低く、好ましくは１００ライン／ｍｍより低く、回折効果は人間の目には見られないが、この格子は、有利には格子ラインに沿った整列を可能にする。好ましくは、格子深さは、１００ｎｍより小さい。
【００９７】
本発明の他の実施形態において、これまでの実施形態において記載された画像で使用されるフレークは、六角形の形状で形成され、画像内のフレークのより大きな充填密度を可能にし、また均一なフレークを提供することが有利である。形状形成されたフレークを製造することの記載が、米国特許出願第２００６０３５０８０号に見出される。
【図面の簡単な説明】
【００９８】
【図１】図１Ａは、出願人の米国特許出願第２００５／０１０６３６７号に記載されかつ示される、「フリップフロップ」として言及される印刷された画像の単純化された断面である。  図１Ｂは、出願人の米国特許出願第２００５／０１０６３６７号に記載されかつ示される、第１の選択された視角での文書上の印刷された画像の単純化された平面図である。  図１Ｃは、出願人の米国特許出願第２００５／０１０６３６７号に記載されかつ示される、視点に対して画像を傾斜することによって得られる、第２の選択された視角で印刷された画像の単純化された平面図である。
【図２Ａ】出願人の米国特許出願第２００５／０１０６３６７号に記載されかつ示される、議論の目的のために「ローリング・バー」として言及される印刷された画像の単純化された断面である。
【図２Ｂ】出願人の米国特許出願第２００５／０１０６３６７号に記載されかつ示される、第１の選択された視角でのローリング・バー画像の単純化された平面図である。
【図２Ｃ】出願人の米国特許出願第２００５／０１０６３６７号に記載されかつ示される、議論の目的のために「ダブル・ローリング・バー」として言及される印刷された画像の単純化された断面である。
【図２Ｄ】図２Ｃに示される画像の上面図である。
【図３】図４に示されるスター・バースト画像に対応する印刷された乾燥インクの層内で磁気的に整列されたプレートレットの断面である。
【図４】本発明によるスター・バースト・パターンの画像の平面図である。
【図５】図５Ａは、磁気的に整列されたプレートレットからなる円錐の画像の写真である。  図５Ｂは、磁気的に整列されたプレートレットからなる円錐の画像の写真である。
【図６】磁界内で整列されたプレートレットを示す、円錐形状の磁界の断面である。
【図７】図７は、画像の表面に対して垂直な角度で上方から直接見られた円錐の画像の写真である。  図７Ａは、異なる角度から見られた円錐の画像の写真である。  図７Ｂは、異なる角度から見られた円錐の画像の写真である。
【図８】印刷された画像における非常に驚くべき効果を有する新規な磁界を作る、異なる直径の２つのリング形状の積み重ねられた磁石が使用される、本発明の代わりの実施形態の断面図である。
【図９】図８の磁気配置で作られた画像の写真である。
【図１０】図１０Ａは、円環状磁界を使用することによってその中に整列される磁気プレートレットをその後に有する、様々な異なるパターンに加えられる磁性粒子を含むインクの画像である。  図１０Ｂは、円環状磁界を使用することによってその中に整列される磁気プレートレットをその後に有する、様々な異なるパターンに加えられる磁性粒子を含むインクの画像である。  図１０Ｃは、円環状磁界を使用することによってその中に整列される磁気プレートレットをその後に有する、様々な異なるパターンに加えられる磁性粒子を含むインクの画像である。
【図１１】円環状磁界を使用することによってその中に整列される磁気プレートレットをその後に有する、様々な異なるパターンに加えられる磁性粒子を含むインクの画像である。
【図１２】円環状磁界を使用することによってその中に整列される磁気プレートレットをその後に有する、様々な異なるパターンに加えられる磁性粒子を含むインクの画像である。
【図１３Ａ】円環状磁界を使用することによってその中に整列される磁気プレートレットをその後に有する、様々な異なるパターンに加えられる磁性粒子を含むインクの画像である。
【図１３Ｂ】本発明による光学錯覚画像の写真である。
【図１４】図７Ａに示される円錐の画像におけるフレーク配置を示す図示であり、より大きなわずか対称的フレークが、例示の目的に使用され、いくつかのフレークは、特定のフレークの側面図を示すために意図的に省略された。
【図１５】斜視図で示される図１４に類似する図示である。
【図１６】印加された円錐状の磁界の線に沿った、インクの層に分散され構造化されていない磁気プレートレットの軸を中心する整列の図１５に類似する図である。
【図１７】インクの薄層の展色剤または担体に分散された磁性粒子の円錐状整列の図示であり、粒子表面に対して垂直な角度は、仮想リングを画定する曲線に沿った画像上の収束することが示される。
【図１８】図１８Ａは、反射リングを示す円錐状整列を有する印刷の写真である。  図１８Ｂは、反射リングを示す円錐状整列を有する印刷の写真である。
【図１９】円錐状磁石が、支持体を覆って配置されるとき、円錐状磁界内の磁性粒子の円錐状整列を図示する図である。
【図２０】図２０は、フレネル状磁石が、支持体の下に配置されるとき、円錐状磁界内の磁性粒子の円錐状整列を図示する。  図２０Ａは、本発明によるフレネル状の対象物の画像の写真である。  図２０Ｂは、示される粒子に対して垂直な表面を有するインクの薄層を備える、展色剤に分散された磁気プレートレットのフレネル状整列の部分断面図である。  図２０Ｃは、ボール状磁石が、支持体の下に配置されるとき、フレネル状の磁界内の磁性粒子のフレネル状整列の断面図である。
【図２１】図２１Ａは、画像が、図２０に示される粒子配列からの結果である場合の写真である。  図２１Ｂは、画像が、図２０に示される粒子配列からの結果である場合の写真である。
【図２２】軸対称の円錐状磁界内の回折磁性粒子の整列の一部切り取り斜視図である。
【図２３】磁気回折粒子を含みかつ観察者に向かって傾斜された軸対称の印刷の写真である。
【図２４】磁気回折粒子を含みかつ観察者に向かって傾斜された軸対称の印刷の写真である。
【図２５】磁界内に配置されたときの回折フレークの向きを図示し、フレークの溝が、磁力線に整列されて示される。
【図２６】印刷された凸状フレネル・ミラーを形成する、インクの薄層に分散された磁性粒子の軸対称の半球形状整列を示す。
【図２７】図２６に示されるフレネル・ミラーの断面図であり、フレークに対して垂直な線が、点に向かう線に沿った収束することが示される。
【図２８】図２８Ａは、半球状の凸状ミラーの写真である。  図２８Ｂは、半球状の凸状ミラーの写真である。
【図２９】印刷された補償されない凸状のフレネル反射器を形成する、印加された半球形状の磁界の線に沿ったインクの層に分散された磁性粒子の軸対称の整列の図である。
【図３０】インクの層内に分散された回折粒子の整列の図である。
【図３１】黒背景上に希釈されたインクで作られた、印刷された凸状のフレネル・ミラーの写真である。
【図３２】支持体上に印刷されたインクの薄層に分散された磁性粒子の軸対称の半球形状の整列の図示する図である。
【図３３】磁気回折粒子３３３の凹状の整列が、粒子表面３３４に対して垂直な線を有するインク展色剤３３２の薄層に分散されるその中の溝の形態での格子を有することを示す図である。
【図３４】図３４Ａは、半球形状の整列を有する印刷の写真である。  図３４Ｂは、半球形状の整列を有する印刷の写真である。  図３４Ｃは、半球形状の整列を有する印刷の写真である。
【図３５】図２９に関して多くが類似する、インクの層に分散された回折磁性粒子の軸対称の凹状の整列の平面図である。
【図３６】インクの層に分散された粒子の単一の径方向線の回折粒子の位置および整列を示す図である。
【図３７Ａ】図３７Ｃに示されるようなドーム状の磁界を提供するための、図３７Ｃに示される磁気構成を作る磁石の斜視図である。
【図３７Ｂ】その垂直軸の周りで回転するときに、図３７Ａに示されるいくつかの磁石を有する斜視図である。磁石は、どのように半球状の磁界が形成されるかを理解するための例示目的でその回転の２つの異なる時間の瞬間で示される。
【図３７Ｃ】磁石が、垂直軸の周りの単一の回転を完了した後、その回転の３つの角度での同一の磁石の斜視図である。
【図３７Ｄ】図３７Ｃの磁石配置の斜視図であり、そこに加えられたフレークにされたインクを有するシートが、ドーム状の磁界で配置され、シートおよび磁界が、以降の２つの図面において矢印で示されるように相対的に回転される。
【図３７Ｅ】図３７Ｄの斜視図と類似する斜視図であり、シートは、ドーム状の磁界の上部により近く配置され、インクに形成された半球状画像は、図３７Ｄにおけるより小さいサイズである。
【図３７Ｆ】画像が、一方の位置から他方の位置へ傾斜されたとき、異なる位置で示される図３７Ｅの磁石を使用して作られた回転する３Ｄ半球の画像である。
【図３７Ｇ】画像が、一方の位置から他方の位置へ傾斜されたとき、異なる位置で示される図３７Ｅの磁石を使用して作られた回転する３Ｄ半球の画像である。
【図３７Ｈ】シールドの画像に配置されたドーム形状のフレークを有する半球の印刷された画像である。
【図３７Ｉ】その軸に沿って形成されたローリング・バーを有するシールドの印刷された画像である。
【図３７Ｊ】図３７Ｈおよび３７Ｉに形成される画像の合成画像であり、図３７Ｉが図３７Ｈ上に加えられるように、インクおよび磁界が複数のステージで加えられ、中心領域が、回転する半球を形成するときに一回だけ被覆される。
【図３８】図３８Ａは、図３８Ｃの画像を形成するために使用されるボウル状の磁界の断面である。  図３８Ｂは、図３８Ａで示される磁界で整列された担体における顔料フレークの断面である。  図３８Ｃは、ページ内に沈められたローリング・ボウルであるように見える、逆転された半球の図３８Ａに示される磁界内の磁気フレークで形成された画像である。
【図３９】微細構造にされた磁気顔料の単一粒子の平面図である。
【図４０】微細構造にされた磁気顔料の単一粒子の断面図である。
【図４１】ＭｇＦ２／Ａｌ／Ｎｉ／Ａｌ／ＭｇＦ２の多層の微細構造にされた磁気顔料の構造の図である。
【図４２】図４２ａは、溝を横切る測定方向での低変調された低周波数矩形格子（１）の複数角度の色移行を示すグラフである。  図４２ｂは、溝を横切る測定方向での低変調された高周波数正弦波格子（２）の複数角度の色移行を示すグラフである。
【図４３】低変調された（８０ｎｍ）低周波数（１４０ライン／ｍｍ）の矩形格子の上部に堆積された光学スタックＭｇＦ２／Ａｌ／Ｎｉ／Ａｌ／ＭｇＦ２のスペクトル反射率を示す。
【図４４】高周波数（１４０ライン／ｍｍ）の上部に堆積された光学スタックＭｇＦ２／Ａｌ／Ｎｉ／Ａｌ／ＭｇＦ２のスペクトル反射率を示す。
【符号の説明】
【００９９】
２０、４２  印刷された画像
２２  第１の印刷された部分
２４  第２の印刷された部分
２５  移行部
２６  顔料フレーク
２８、１９２  担体
２９、１６５、１９１、２０１、２１１、２３１、２６５、２７１、２９１、３０１、３２５、３５１、３６１、３７７、８０７  支持体
３０  照明源
３２  観察者
４０  切断線
４４、４４’、４４”  明るいバー
４６、４６’、４６”、４８、４８’、４８”  対比フィールド
１６０  磁界
１６２、１９４、１９５、２０４、２１３、２３５、２６２、８０３  磁力線
１６３、１９３、１９６、２０５、２１４、２７３  フレーク
１６４  インク媒体
１６６  ギャップ
１７１  シート
１７２、２３０、２７２、３３２  インク展色剤
１７３、１９３、１９６、２０５、２２０、２３２、２９２、３２３、８０４  磁性粒子
１９２、２１２、２３２、３２４、８０６  インク
１９３、２０２、２３３、２６６、３２６、８０１、８０２  磁石
２０６、２３６  磁気プレートレット
２７３  ミラー
２７４  想像線
２９２  回折プレートレット
２９３、２９４、３１１、３１２、３１３、３５４、３５５、３５６  領域
２９７  印刷
３０２、３３３、３５２、３６２  回折粒子
３０３、３３４  粒子表面
【図１】
0005518279.tif 000002
【図２Ａ】
0005518279.tif 000003
【図２Ｂ】
0005518279.tif 000004
【図２Ｃ】
0005518279.tif 000005
【図２Ｄ】
0005518279.tif 000006
【図３】
0005518279.tif 000007
【図４】
0005518279.tif 000008
【図５】
0005518279.tif 000009
【図６】
0005518279.tif 000010
【図７】
0005518279.tif 000011
【図８】
0005518279.tif 000012
【図９】
0005518279.tif 000013
【図１０】
0005518279.tif 000014
【図１１】
0005518279.tif 000015
【図１２】
0005518279.tif 000016
【図１３Ａ】
0005518279.tif 000017
【図１３Ｂ】
0005518279.tif 000018
【図１４】
0005518279.tif 000019
【図１５】
0005518279.tif 000020
【図１６】
0005518279.tif 000021
【図１７】
0005518279.tif 000022
【図１８】
0005518279.tif 000023
【図１９】
0005518279.tif 000024
【図２０】
0005518279.tif 000025
【図２１】
0005518279.tif 000026
【図２２】
0005518279.tif 000027
【図２３】
0005518279.tif 000028
【図２４】
0005518279.tif 000029
【図２５】
0005518279.tif 000030
【図２６】
0005518279.tif 000031
【図２７】
0005518279.tif 000032
【図２８】
0005518279.tif 000033
【図２９】
0005518279.tif 000034
【図３０】
0005518279.tif 000035
【図３１】
0005518279.tif 000036
【図３２】
0005518279.tif 000037
【図３３】
0005518279.tif 000038
【図３４】
0005518279.tif 000039
【図３５】
0005518279.tif 000040
【図３６】
0005518279.tif 000041
【図３７Ａ】
0005518279.tif 000042
【図３７Ｂ】
0005518279.tif 000043
【図３７Ｃ】
0005518279.tif 000044
【図３７Ｄ】
0005518279.tif 000045
【図３７Ｅ】
0005518279.tif 000046
【図３７Ｆ】
0005518279.tif 000047
【図３７Ｇ】
0005518279.tif 000048
【図３７Ｈ】
0005518279.tif 000049
【図３７Ｉ】
0005518279.tif 000050
【図３７Ｊ】
0005518279.tif 000051
【図３８】
0005518279.tif 000052
【図３９】
0005518279.tif 000053
【図４０】
0005518279.tif 000054
【図４１】
0005518279.tif 000055
【図４２】
0005518279.tif 000056
【図４３】
0005518279.tif 000057
【図４４】
0005518279.tif 000058